(57)【要約】【構成】  画像読取装置（１０）は、原稿載置台２４を含み、原稿載置台２４には、光が原稿載置台２４を透過する透過領域２４２０と光が原稿載置台２４を透過しない非透過領域２４２２とを設定可能な透過型ディスプレイ２４ａが設けられる。原稿載置台２４では、走査ユニット２６に対応する領域に透過領域２４２０が設定される。【効果】  原稿を載置する原稿載置台が露出した状態で、ユーザが走査ユニットから照射される光によって眩しく感じないようにするとともに、外乱光の影響を低減させ、原稿を適切に読み取ることができる。【選択図】  図６
2018160713.tif 000002
【特許請求の範囲】
【請求項１】
原稿を載置する原稿載置台、
主走査方向に所定の幅を有しかつ副走査方向に移動して前記原稿載置台に載置された原稿に光を照射する光照射部、
前記光照射部によって照射された光が原稿で反射した反射光を受光する受光部、
前記光照射部の位置を検出する位置検出部、および
前記位置検出部によって検出された前記光照射部の位置に応じて、前記原稿載置台に、光を透過する透過領域と光を透過しない非透過領域とを設定する領域設定部を備える、画像読取装置。
【請求項２】
前記原稿載置台に載置される原稿が存在する原稿領域を検出する原稿領域検出部をさらに備え、
前記領域設定部は前記原稿領域に応じて前記透過領域を設定する、請求項１記載の画像読取装置。
【請求項３】
前記原稿領域検出部は、前記光照射部によって照射された光が前記原稿載置台上の原稿で反射される反射領域を検出する反射領域検出部を含み、
前記領域設定部は、前記反射領域に応じて前記透過領域を設定する、請求項２記載の画像読取装置。
【請求項４】
シェーディング補正を行うシェーディング補正部をさらに備え、
前記領域設定部は、前記シェーディング補正部によってシェーディング補正が行われるとき、前記原稿載置台の全領域を非透過領域に設定する、請求項１ないし３のいずれかに記載の画像読取装置。
【請求項５】
請求項１ないし４のいずれかに記載の画像読取装置を備える、画像形成装置。
【請求項６】
原稿を載置する原稿載置台、主走査方向に所定の幅を有しかつ副走査方向に移動して前記原稿載置台に載置された原稿に光を照射する光照射部、および前記光照射部によって照射された光が原稿で反射した反射光を受光する受光部を備える画像読取装置の制御プログラムであって、
前記画像読取装置のコンピュータを、
前記光照射部の位置を検出する位置検出部、および
前記位置検出部によって検出された前記光照射部の位置に応じて、前記原稿載置台に、光を透過する透過領域と光を透過しない非透過領域とを設定する領域設定部として機能させる、画像読取装置の制御プログラム。
【請求項７】
原稿を載置する原稿載置台、主走査方向に所定の幅を有しかつ副走査方向に移動して前記原稿載置台に載置された原稿に光を照射する光照射部、および前記光照射部によって照射された光が原稿で反射した反射光を受光する受光部を備える画像読取装置の制御方法であって、
前記画像読取装置のコンピュータは、
前記光照射部の位置を検出するステップ、および
前記位置検出部によって検出された前記光照射部の位置に応じて、前記原稿載置台に、光を透過する透過領域と光を透過しない非透過領域とを設定するステップを実行する、画像読取装置の制御方法。
【発明の詳細な説明】
【技術分野】
【０００１】
この発明は、画像読取装置、画像形成装置、制御プログラムおよび制御方法に関し、特にたとえば、原稿載置台に載置された原稿に光を照射することによって画像を読み取る、画像読取装置、画像形成装置、制御プログラムおよび制御方法に関する。
【背景技術】
【０００２】
特許文献１には、背景技術の画像読取装置の一例が開示される。特許文献１の画像読取装置では、原稿カバーが開かれた状態で原稿サイズの検出を行う場合に、光源から照射される光でユーザが眩しく感じないように、原稿サイズの検出を行うことができる程度に光源の発光量を低減させる。
【先行技術文献】
【特許文献】
【０００３】
【特許文献１】特開２０１６−１００８３９号公報
【発明の概要】
【発明が解決しようとする課題】
【０００４】
背景技術の画像読取装置では、光源の発光量を低減させているだけであり、光源から照射された光は、原稿の載置台を通って画像読取装置の外部に漏れてしまう。原稿の読み取りを行う場合には、原稿サイズの検出を行う場合よりも光源の発光量を多くする必要があるので、強い光が画像読取装置の外部に漏れてしまう。したがって、背景技術の画像読取装置では、原稿の読み取りが行われる場合に、画像読取装置を使用するユーザが眩しく感じてしまうという問題がある。
【０００５】
また、背景技術の画像読取装置では、原稿の載置台を通って画像読取装置の外部から画像読取装置の内部に入ってくる外乱光を遮ることができない。このため、背景技術の画像読取装置では、外乱光の影響によって、原稿を適切に読み取ることができないという問題がある。
【０００６】
それゆえに、この発明の主たる目的は、新規な、画像読取装置、画像形成装置、制御プログラムおよび制御方法を提供することである。
【０００７】
また、この発明の他の目的は、画像読取装置を使用するユーザが眩しく感じないようにすることができる、画像読取装置、画像形成装置、制御プログラムおよび制御方法を提供することである。
【０００８】
さらに、この発明のその他の目的は、外乱光の影響を低減させ、原稿を適切に読み取るようにすることである。
【課題を解決するための手段】
【０００９】
第１の発明は、原稿載置台、光照射部、受光部、位置検出部および領域設定部を備える。原稿載置台には、原稿が載置される。また、原稿載置台には、光が原稿載置台を透過する透過領域と光が原稿載置台を透過しない非透過領域とを設定可能な透過型のディスプレイが設けられる。光照射部は、主走査方向に所定の幅を有しかつ副走査方向に移動して原稿載置台に載置された原稿に光を照射する。受光部は、光照射部によって照射された光が原稿で反射した反射光を受光する。位置検出部は、光照射部の位置を検出する。領域設定部は、原稿載置台に、位置検出部によって検出された光照射部の位置に応じて、光を透過する透過領域と光を透過しない非透過領域とを設定する。
【００１０】
第１の発明によれば、原稿載置台において光照射部の位置に応じて透過領域が設定されるので、原稿載置台を通って画像読取装置の外部に漏れる光を低減させることができ、原稿載置台が露出した状態でも、画像読取装置を使用するユーザが眩しく感じないようにすることができる。また、原稿載置台を通って画像読取装置の内部に入射される外乱光を低減させることができるので、画像読取装置における外乱光の影響を低減させ、原稿を適切に読み取ることができる。
【００１１】
第２の発明は、第１の発明に従属する画像読取装置であって、原稿載置台に載置される原稿が存在する原稿領域を検出する原稿領域検出部をさらに備え、領域設定部は原稿領域に応じて透過領域を設定する。
【００１２】
第２の発明によれば、原稿が存在する原稿領域に透過領域が設定されるので、画像の読取処理が行われる場合に、原稿が存在しない領域には透過領域が設定されなくなる。このため、原稿に反射せずに画像読取装置から外部に漏れる光を低減させることができ、画像読取装置を使用するユーザが眩しく感じないようにすることができる。
【００１３】
第３の発明は、第２の発明に従属する画像読取装置であって、原稿領域検出部は、光照射部によって照射された光が原稿載置台上の原稿で反射される反射領域を検出する反射領域検出部を含み、領域設定部は、反射領域に応じて透過領域を設定する。
【００１４】
第３の発明によれば、原稿で反射される反射領域に応じて反射領域が設定されるので、原稿が存在しない領域には透過領域が設定されなくなる。このため、原稿に反射せずに画像読取装置から外部に漏れる光を低減させることができ、画像読取装置を使用するユーザが眩しく感じないようにすることができる。
【００１５】
第４の発明は、第１ないし第３のいずれかの発明に従属する画像読取装置であって、シェーディング補正を行うシェーディング補正部をさらに備え、領域設定部は、シェーディング補正部によってシェーディング補正が行われるとき、原稿載置台の全領域を非透過領域に設定する。
【００１６】
第４の発明によれば、シェーディング補正が行われるとき、原稿載置台の全ての領域が非透過領域に設定される。このため、シェーディング補正を行う際の外乱光の影響を低減させ、シェーディング補正を適切に行うことができるので、原稿を適切に読み取ることができる。
【００１７】
第５の発明は、第１ないし第４の発明のいずれかに記載の画像読取装置を備える、画像形成装置である。
【００１８】
第６の発明は、原稿を載置する原稿載置台、主走査方向に所定の幅を有しかつ副走査方向に移動して原稿載置台に載置された原稿に光を照射する光照射部、および光照射部によって照射された光が原稿で反射した反射光を受光する受光部を備える画像読取装置の制御プログラムであって、画像読取装置のコンピュータを、光照射部の位置を検出する位置検出部、および位置検出部によって検出された光照射部の位置に応じて、原稿載置台に、光を透過する透過領域と光を透過しない非透過領域とを設定する領域設定部として機能させる。
【００１９】
第７の発明は、原稿を載置する原稿載置台、主走査方向に所定の幅を有しかつ副走査方向に移動して原稿載置台に載置された原稿に光を照射する光照射部、および光照射部によって照射された光が原稿で反射した反射光を受光する受光部を備える画像読取装置の制御方法であって、画像読取装置のコンピュータは、光照射部の位置を検出するステップ、および位置検出部によって検出された光照射部の位置に応じて、原稿載置台に、光を透過する透過領域と光を透過しない非透過領域とを設定するステップを実行する。
【００２０】
第５ないし第７の発明においても、第１の発明と同様に、第１の発明と同様に、画像読取装置を使用するユーザが眩しく感じないようにするとともに、外乱光の影響を低減させ、原稿を適切に読み取ることができる。
【発明の効果】
【００２１】
この発明によれば、画像読取装置を使用するユーザが眩しく感じないようにするとともに、外乱光の影響を低減させ、原稿を適切に読み取ることができる。
【図面の簡単な説明】
【００２２】
【図１】図１は第１実施例の画像形成装置の外観構成の一例を斜め上方から見た斜視図である。
【図２】図２は図１に示す画像読取部の構成を示す図解図である。
【図３】図３は画像読取部に含まれる走査ユニットの構造を示す図解図である。
【図４】図４は、図１に示す画像形成装置の電気的な構成の一例を示すブロック図である。
【図５】図５（Ａ）は原稿載置台の構成の一例を上面側から見た図である。図５（Ｂ）は図５（Ａ）のVB−VB断面図である。
【図６】図６（Ａ）は、原稿載置台を上面側から見た図である。図６（Ｂ）は図６（Ａ）のVIIB−VIIB断面図である。
【図７】図７は、図４に示したＲＡＭのメモリマップの一例を示す図解図である。
【図８】図８は、図１に示す画像形成装置の読取処理の一例を示すフロー図である。
【図９】図９は、第２実施例の原稿載置台を上面側から見た図である。
【図１０】図１０は、第２実施例の画像形成装置の読取処理の一例を示すフロー図である。
【図１１】図１１は、第３実施例の原稿載置台を上面側から見た図である。
【発明を実施するための形態】
【００２３】
［第１実施例］
図１は、この発明の一実施例である画像読取装置１０を備える画像形成装置１００の外観構成の一例を示す斜視図である。
【００２４】
図１に示す画像形成装置１００は、複写機能、プリンタ機能、スキャナ機能およびファクシミリ機能などを有する複合機（ＭＦＰ：Multifunction Peripheral）である。ただし、画像形成装置１００は、画像読取装置１０（スキャナ機能）を備えていればよく、上記の他の機能は任意に採用することができる。
【００２５】
また、後述のように、この発明においては、画像読取装置１０の前後方向を主走査方向と呼ぶ。一方、主走査方向と直交する方向を副走査方向と呼ぶ。したがって、画像読取装置１０の左右方向は、副走査方向に相当する。
【００２６】
先ず、画像形成装置１００の構成について概略的に説明する。図１に示すように、画像形成装置１００は、本体１０２を含み、本体１０２の上部に、上述した画像読取装置１０が配置される。本体１０２内の所定位置には、画像形成装置１００の各部位の動作を制御する制御部１０４が設けられる。制御部１０４は、ＣＰＵおよびメモリ等を備え（図４参照）、タッチパネルおよび各種の操作ボタン等を含む入力装置１２ａへの入力操作などに応じて、画像形成装置１００の各部位に制御信号を送信し、画像形成装置１００に種々の動作を実行させる。
【００２７】
また、本体１０２には、感光体ドラム、帯電装置、露光装置、現像装置、転写装置および定着装置などを備える画像形成部３６（図４参照）が内蔵される。画像形成部３６は、給紙カセット１０６等から搬送される記録紙上に電子写真方式によって画像を形成し、画像形成済みの記録紙を排出トレイ１０８に排出する。記録紙上に画像を形成するための画像データとしては、画像読取装置１０で読み取った画像データが利用される。
【００２８】
画像読取装置１０は、箱型の筐体２０を備える。筐体２０には、画像読取部２２（図２参照）が設けられる。また、筐体２０は、その上面（天面）の中央部に矩形状の開口２０ａを有する。筐体２０の開口２０ａを塞ぐように、透明材によって形成される原稿載置台２４が設けられる。
【００２９】
図２は図１に示す画像読取部２２の構成を示す図解図である。図３は画像読取部２２に含まれる走査ユニット２６の構造を示す図解図である。
【００３０】
図２に示すように、画像読取部２２は、走査ユニット（光照射部に相当）２６を含む。この走査ユニット２６は、筐体２０に収容される。また、走査ユニット２６は、モータ５０（図４参照）を含む駆動機構によって、副走査方向に移動可能に設けられる。
【００３１】
走査ユニット２６の移動経路上には、ホーム位置ＨＰ、エンド位置ＥＰおよびシェーディング位置ＳＰが設定される。
【００３２】
ホーム位置ＨＰは、原稿の読み取りが開始されるときの走査ユニット２６の位置のことである。このホーム位置ＨＰは、副走査方向における原稿載置台２４の一方の端部に設定される。ただし、原稿の読み取りが実行されない場合には、走査ユニット２６は、ホーム位置ＨＰに位置する。
【００３３】
エンド位置ＥＰは、走査ユニット２６が副走査方向に移動された場合の終端の位置のことである。このエンド位置ＥＰは、副走査方向における原稿載置台２４の他方（ホーム位置ＨＰの反対側）の端部に設定される。
【００３４】
また、ホーム位置ＨＰおよびエンド位置ＥＰは、副走査方向における原稿載置台２４の内側に設定される。
【００３５】
シェーディング位置ＳＰは、シェーディング補正に用いられる補正値を読み取る場合に走査ユニット２６が移動される位置のことである。シェーディング補正とは、画像読取装置１０（画像読取部２２）の個体差および経年劣化等の要因によって読み取り結果が変動しないように、読み取られた画像データを補正することである。このため、シェーディング補正に用いられる補正値が、原稿を読み取る処理が実行される度に設定される。
【００３６】
シェーディング補正に用いられる補正値を設定する処理では、走査ユニット２６がシェーディング位置ＳＰに位置する状態で光源２６２が点灯され、白基準板２０４（基準となる白）が読み取られ、このときの撮像部２８の出力値が、白シェーディング補正の補正値（白補正用データ）として設定される。また、光源２６２が消灯され、このときの撮像部２８のラインセンサの出力値が、黒シェーディング補正の補正値（黒補正用データ）として設定される。
【００３７】
シェーディング位置ＳＰは、副走査方向における原稿載置台２４の外側に設定される。たとえば、シェーディング位置ＳＰは、副走査方向における原稿載置台２４のホーム位置ＨＰが設定される側に設定される。具体的には、シェーディング位置ＳＰは、筐体２０の上側板２０２の下方に設定される。筐体２０の上側板２０２のシェーディング位置ＳＰに対向する位置には、白基準板２０４が設けられる。
【００３８】
また、原稿載置台２４に置かれた原稿の読み取りが行われる場合（スキャナ機能が実行される場合）には、走査ユニット２６は、モータ５０によって所定の速度で副走査方向に移動される。具体的には、走査ユニット２６は、ホーム位置ＨＰからエンド位置ＥＰまで移動される。また、原稿の読み取りが終了すると、走査ユニット２６は、ホーム位置ＨＰに戻される。
【００３９】
図３に示すように、走査ユニット２６は、筐体２６０を含む。筐体２６０の内側には、光源２６２、ミラー２６４、ミラー２６６、ミラー２６８および撮像部（受光部に相当）２８が収容される。第１実施例では、走査ユニット２６は、キャリッジ（ユニット）一体式である。
【００４０】
筐体２６０には、開口２６０ａおよび開口２６０ｂが形成される。開口２６０ａおよび開口２６０ｂは、筐体２６０における原稿載置台２４に対向する位置に形成される。より具体的には、開口２６０ａは、光源２６２の光軸上に設けられる。また、開口２６０ｂは、原稿の表面で反射した反射光の光路上に設けられる。たとえば、開口２６０ｂは、光源２６２の光軸と原稿の表面の交点の下面側に設けられる。
【００４１】
光源２６２は、たとえば主走査方向（図３の紙面に直交する方向）に配列された複数のＬＥＤである。光源２６２は、その光軸が斜め上方に向くように配置され、原稿載置台２４に向かって光を照射する。光源２６２から照射された光は、開口２６０ａおよび原稿載置台２４を通過して、原稿の表面（下面）に照射される。つまり、原稿の表面が露光される。また、原稿の表面で反射した反射光は、開口２６０ｂを通ってミラー２６４に向かう。
【００４２】
ミラー２６４、ミラー２６６およびミラー２６８は、原稿の表面で反射した反射光を撮像部２８の結像レンズ（図示せず）に導くための部材である。原稿の表面で反射した反射光は、ミラー２６４、ミラー２６６およびミラー２６８の順に反射され、撮像部２８の結像レンズに導かれる。
【００４３】
撮像部２８は、結像レンズおよびラインセンサ等を備える。結像レンズは、ミラー２６４、ミラー２６６およびミラー２６８によって導かれた反射光を受光素子に結像させる。ラインセンサは、受光素子に結像された反射光の輝度や色度を検出し、原稿表面の画像に基づく画像信号を生成する。このラインセンサとしては、ＣＣＤ（Charge Coupled Device）やＣＩＳ（Contact Image Sensor）等が用いられる。ただし、ラインセンサは、Ｒ用ラインセンサ、Ｇ用ラインセンサおよびＢ用ラインセンサを含む。
【００４４】
このような画像読取装置１０においては、原稿載置台２４を覆う原稿カバーが設けられていないため、原稿載置台２４が露出した状態で読取ジョブが行われる。ただし、読取ジョブとは、原稿（画像）の読み取り（スキャン）または原稿サイズの検出など、ユーザの指示によって画像読取装置１０で行われるジョブを言う。
【００４５】
この第１実施例では、原稿載置台２４をシースルー型のディスプレイ（透過型ディスプレイ）２４ａによって構成するようにした。そして、第１実施例の画像読取装置１０は、読取ジョブが行われる場合に、原稿載置台２４（透過型ディスプレイ２４ａ）において走査ユニット２６に対応する領域では光を透過させるが、走査ユニット２６に対応しない領域では光を遮断する。
【００４６】
図４は、図１に示す画像形成装置１００の電気的な構成の一例を示すブロック図である。図４に示すように、画像形成装置１００は、ＣＰＵ３０を含む。ＣＰＵ３０には、バス３２を介して、ＲＡＭ３４、画像形成部３６、インターフェイス（Ｉ／Ｆ）３８、表示制御回路４０、画像信号処理回路４２、撮像部２８、モータ駆動回路４４、点灯制御回路４６、透過制御回路４８、エンコーダ５２およびＨＤＤ５４が接続される。
【００４７】
ただし、ＣＰＵ３０、バス３２の一部、ＲＡＭ３４、Ｉ／Ｆ３８、表示制御回路４０および画像信号処理回路４２は、上述した制御部１０４に含まれる。図示は省略するが、コンピュータまたはファクシミリと通信するための通信部も制御部１０４に設けられる。
【００４８】
また、操作パネル１２に設けられる入力装置１２ａは、Ｉ／Ｆ３８を介してＣＰＵ３０に接続される。入力装置１２ａは、ハードウェアの各種の操作ボタンおよびタッチパネルなどを含む。また、入力装置１２ａには、ディスプレイ１２ｂが設けられる。ディスプレイ１２ｂは、表示制御回路４０を介してＣＰＵ３０に接続される。ただし、タッチパネルは、ディスプレイ１２ｂ上に設けられたり、ディスプレイ１２ｂと一体的に設けられたりする。また、タッチパネルは設けられなくてもよい。
【００４９】
ＣＰＵ３０は、画像形成装置１００の全体的な制御を司る。ＲＡＭ３４は、ＣＰＵ３０のワーク領域およびバッファ領域として用いられる。ＨＤＤ５４は、画像形成装置１００の主記憶装置であり、画像読取部２２で読み取られた画像データおよび外部コンピュータから送信された画像データ等を保存する。ただし、詳細は後述するが、画像読取部２２で読み取られた画像データ（撮像部２８の出力に基づく画像データ）は、画像信号処理回路４２において所定の処理が施される。
【００５０】
Ｉ／Ｆ３８は、入力装置１２ａに含まれる各種の操作ボタンの操作入力に応じた操作データをＣＰＵ３０に出力する。図示は省略するが、タッチパネルが設けられる場合には、Ｉ／Ｆ３８は、タッチパネル制御回路を含む。タッチパネル制御回路は、そのタッチパネルに必要な電圧などを付与するとともに、タッチパネルのタッチ有効範囲内でのタッチ操作（タッチ入力）を検出して、そのタッチ入力の位置を示すタッチ座標データをＣＰＵ３０に出力する。
【００５１】
表示制御回路４０は、ＧＰＵおよびＶＲＡＭなどを含んでおり、ＣＰＵ３０の指示の下、ＧＰＵは、ＲＡＭ３４に記憶された画像生成データ３０４ｅ（図７参照）を用いてディスプレイ１２ｂに種々の画面を表示するための表示画像データをＶＲＡＭに生成し、生成した表示画像データをディスプレイ１２ｂに出力する。
【００５２】
画像信号処理回路４２は、撮像部２８にも接続され、撮像部２８から出力されるＲＧＢの各色の画像信号を増幅してからＡ／Ｄ（アナログ／デジタル）変換し、アナログ信号からデジタル信号に変換した画像データに対してシェーディング補正を施す。
【００５３】
さらに、画像信号処理回路４２は、シェーディング補正した画像データを、ＲＧＢからＹＭＣＫのデータに色変換し、色諧調を調整するなどの処理（後処理）を施して、ＣＰＵ３０に出力する。ＣＰＵ３０は、画像信号処理回路４２から出力された画像データを、ＨＤＤ５４に記憶したり、画像形成部３６を制御して、対応する画像を記録紙（用紙）などに印刷したりする。
【００５４】
撮像部２８、モータ駆動回路４４、点灯制御回路４６、透過制御回路４８およびエンコーダ５２は、上述した画像読取部２２に含まれる。撮像部２８、モータ駆動回路４４、点灯制御回路４６、透過制御回路４８およびエンコーダ５２は、バス３２を介してＣＰＵ３０に接続される。
【００５５】
また、画像読取部２２は、モータ５０、光源２６２および透過型ディスプレイ２４ａをさらに含む。モータ５０はモータ駆動回路４４に接続され、光源２６２は点灯制御回路４６に接続され、透過型ディスプレイ２４ａは透過制御回路４８に接続される。
【００５６】
ただし、上記のＣＰＵ３０は、ＲＡＭ３４をバッファ領域およびワーク領域として使用して、画像読取部２２を含む画像形成装置１００の全体を制御する。
【００５７】
撮像部２８は、ＣＰＵ３０の指示の下、受光素子に結像された反射光の輝度や色度を検出し、原稿表面の画像に基づくＲＧＢの各色の画像信号を生成して、画像信号処理回路４２に出力する。
【００５８】
モータ駆動回路４４は、ＣＰＵ３０から入力される駆動制御信号に応じて、モータ５０に電圧を印加し、モータ５０の駆動および停止を制御する。たとえば、モータ５０は、ＤＣモータであり、このモータ駆動回路４４から印加される電圧によって駆動される。モータ５０が駆動されることによって、画像読取部２２に含まれる走査ユニット２６が副走査方向に移動される。
【００５９】
エンコーダ５２は、モータ５０の回転軸の回転速度および回転数（回転角度）に応じたパルス信号をＣＰＵ３０に出力する。エンコーダ５２は、たとえば回転部材および光学センサを有するロータリーエンコーダである。回転部材は、光を透過させない円盤状の板部材であり、モータ５０の回転軸に取り付けられる。また、回転部材には、その外周部分において円周上に等間隔で並ぶように複数の細長い孔（スリット）が形成される。ただし、スリットの長手方向は、回転部材の中心から当該回転部材の面に沿って放射状に延びる方向である。
【００６０】
光学センサは、回転部材に設けられた複数のスリットの有無を検出可能に固定的に設けられる。この光学センサは、発光部（ＬＥＤ発光素子）、受光部（フォトダイオード）および信号変換部（受光ＩＣ）を有する。光学センサの発光部から出力される光は、回転部材のスリットを透過して光学センサの受光部で受光される。受光部の出力は、光学センサの信号変換部（受光ＩＣ）でパルス信号（エンコーダ応答パルス）に変換される。
【００６１】
エンコーダ５２（光学センサ）からから出力されるパルス信号は、ＣＰＵ３０に入力される。ＣＰＵ３０は、このパルス信号に応じてモータ５０の回転速度および回転数（回転角度）を検出（算出）する。また、ＣＰＵ３０は、検出したモータ５０の回転速度および回転数に応じて、駆動制御信号をモータ駆動回路４４に出力する。
【００６２】
また、ＣＰＵ３０は、検出したモータ５０の回転数（回転角度）に応じて、走査ユニット２６の副走査方向における位置を算出する。たとえば、モータ５０の回転数（回転角度）に応じて算出される走査ユニット２６の位置は、ホーム位置ＨＰからの副走査方向の距離（ｍｍ）によって表現される。
【００６３】
さらに、ＣＰＵ３０は、副走査方向の距離によって表現される走査ユニット２６の位置に応じて、透過型ディスプレイ２４ａの座標で表現された走査ユニット２６の位置を算出する。たとえば、副走査方向の距離が、所定の変換式で透過型ディスプレイ２４ａにおける副走査方向の座標に変換される。
【００６４】
点灯制御回路４６は、ＣＰＵ３０の指示の下、光源２６２の点灯および消灯を制御する。具体的には、ＣＰＵ３０は、点灯制御回路４６を制御して、光源２６２に含まれる複数のＬＥＤの一部または全部を点灯させたり、消灯させたりする。
【００６５】
透過制御回路４８は、ＣＰＵ３０の指示の下、透過型ディスプレイ２４ａを制御する。具体的には、ＣＰＵ３０は、透過制御回路４８を制御して、走査ユニット２６の位置に応じて、透過型ディスプレイ２４ａに透過領域２４２０（図６参照）および非透過領域２４２２を設定する。
【００６６】
具体的には、透過制御回路４８は、ＣＰＵ３０の指示の下、透過型ディスプレイ２４ａの液晶パネルに含まれる画素毎の液晶シャッタを制御して、透過領域２４２０および非透過領域２４２２の設定を行う。
【００６７】
以下、図５を参照して、透過型ディスプレイ２４ａの構成について説明する。図５（Ａ）は原稿載置台２４の構成の一例を上面側から見た図である。図５（Ｂ）は図５（Ａ）のVB−VB断面図である。
【００６８】
図５（Ａ）および図５（Ｂ）に示すように、原稿載置台２４は、透過型ディスプレイ２４ａによって構成される。具体的には、透過型ディスプレイ２４ａの筐体２０の開口２０ａから露出する部分が原稿載置台２４となる。
【００６９】
透過型ディスプレイ２４ａは、光を透過させる透過領域２４２０と光を遮断する（透過させない）非透過領域２４２２とを設定可能なディスプレイである。透過型ディスプレイ２４ａとしては、透過型液晶ディスプレイまたは透過型有機ＥＬディスプレイを用いることができる。
【００７０】
透過型ディスプレイ２４ａは、液晶パネルを含む。図示は省略するが、液晶パネルの各画素は、ガラス層および液晶シャッタを含む。ガラス層は、透明なガラスで構成され、液晶シャッタの上面側に設けられる。このガラス層は、原稿が載置される面として機能する。液晶シャッタは、光を透過させる開状態と、光を遮断する閉状態との間で切り換え可能である。
【００７１】
そして、透過領域２４２０が設定される場合には、透過領域２４２０の内側に位置する画素は、光を透過する状態に制御される。つまり、透過領域２４２０の内側に位置する画素に含まれる液晶シャッタは、開状態に制御される。また、非透過領域２４２２の内側に位置する画素（透過領域２４２０の外側に位置する画素）は、光を遮断する状態に制御される。つまり、非透過領域２４２２の内側に位置する画素に含まれる液晶シャッタは、閉状態に制御される。
【００７２】
また、透過領域２４２０が設定されない場合（透過型ディスプレイ２４ａの全ての領域に非透過領域２４２２が設定される場合）には、液晶パネルに含まれる全ての画素が、光を遮断する状態に制御される。
【００７３】
なお、図４に示す画像形成装置１００の電気的な構成は単なる一例であり、これに限定される必要はない。
【００７４】
次に、図６（Ａ）および図６（Ｂ）を参照して原稿載置台２４（透過型ディスプレイ２４ａ）における透過領域２４２０および非透過領域２４２２の設定方法について説明する。図６（Ａ）は、原稿載置台２４を上面側から見た図である。図６（Ｂ）は図６（Ａ）のVIIB−VIIB断面図である。なお、上述したように、原稿載置台２４の全ての領域は、透過型ディスプレイ２４ａの筐体２０の開口２０ａから露出する領域に相当する。したがって、原稿載置台２４において透過領域２４２０または非透過領域２４２２を設定する場合には、少なくとも透過型ディスプレイ２４ａの筐体２０の開口２０ａから露出する領域に含まれる画素の液晶シャッタが制御されれば良い。
【００７５】
まず、図示は省略するが、画像読取装置１０において上述した読取ジョブが行われない場合には、原稿載置台２４（透過型ディスプレイ２４ａ）の全ての領域に非透過領域２４２２が設定される。この場合、原稿載置台２４に相当する透過型ディスプレイ２４ａの全ての画素の液晶シャッタが閉状態にされる。このため、透過型ディスプレイ２４ａが非表示にされる。ただし、透過型ディスプレイ２４ａが非表示にされることとは、透過型ディスプレイ２４ａの全ての表示領域に黒色の単色画像が表示されることと同じである。
【００７６】
読取ジョブを行う指示を受け付け、読取ジョブが開始されると、走査ユニット２６がホーム位置ＨＰに移動される。このとき、走査ユニット２６がホーム位置ＨＰに到達するまでは、原稿載置台２４の全ての領域に非透過領域２４２２が設定される。また、走査ユニット２６の移動中には、走査ユニット２６の光源２６２は消灯される。
【００７７】
ただし、読取ジョブの実行中、透過型ディスプレイ２４ａの光源２４４は消灯される。たとえば、読取ジョブが開始されたときから、透過型ディスプレイ２４ａの光源２４４が消灯される。
【００７８】
走査ユニット２６がホーム位置ＨＰに移動されると、走査ユニット２６の光源２６２が点灯される。
【００７９】
また、走査ユニット２６がホーム位置ＨＰに移動されると、図６（Ａ）および図６（Ｂ）に示すように、原稿載置台２４において、ホーム位置ＨＰに位置する走査ユニット２６に対応する領域が透過領域２４２０に設定される。
【００８０】
ただし、透過領域２４２０は、上面側から見て矩形（長方形）形状に形成される。透過領域２４２０の主走査方向の大きさ（幅）は、原稿載置台２４（筐体２０の開口２０ａ）の主走査方向の大きさ（幅）と同じ長さに設定される。つまり、透過領域２４２０は、原稿載置台２４の主走査方向の全域に設定される。また、透過領域２４２０の副走査方向の大きさは、走査ユニット２６の副走査方向の大きさよりも僅かに大きく設定される。このようにすれば、光源２６２から照射される光および原稿の表面で反射した反射光が非透過領域２４２２によって遮断されることが無い。したがって、確実に原稿の画像を読み取ることができる。
【００８１】
なお、透過領域２４２０の副走査方向の大きさは、走査ユニット２６の光源２６２から照射される光の光路および原稿の表面で反射した反射光の光路を含むように設定されていればよく、適宜変更可能である。透過領域２４２０の副走査方向の大きさは、走査ユニット２６の筐体２６０に形成された開口２６０ａおよび開口２６０ｂを含むように設定されれば良い。
【００８２】
また、透過領域２４２０は、走査ユニット２６が副走査方向に移動されるにつれて、走査ユニット２６の位置に合わせて移動する。つまり、走査ユニット２６が移動される場合でも、透過領域２４２０と走査ユニット２６との相対位置は変わらない。
【００８３】
さらに、走査ユニット２６がエンド位置ＥＰに到達（読取ジョブが終了）すると、原稿載置台２４の全ての領域が非透過領域２４２２に設定される。つまり、原稿載置台２４に透過領域２４２０が設定されなくなる。また、走査ユニット２６は、ホーム位置ＨＰに移動される。走査ユニット２６がホーム位置ＨＰに移動されると、走査ユニット２６の光源２６２が消灯される。
【００８４】
以上のように、走査ユニット２６がホーム位置ＨＰからエンド位置ＥＰに移動される間、走査ユニット２６に対応する領域は透過領域２４２０に設定される。また、走査ユニット２６に対応する領域以外の領域は非透過領域２４２２に設定される。
【００８５】
画像形成装置１００の上記のような動作は、ＣＰＵ３０がＲＡＭ３４に記憶された制御プログラムを実行することによって実現される。具体的な処理については、後でフロー図を用いて説明する。
【００８６】
図７は図４に示したＲＡＭ３４のメモリマップ３００の一例を示す図解図である。図７に示すように、ＲＡＭ３４は、プログラム記憶領域３０２およびデータ記憶領域３０４を含む。プログラム記憶領域３０２には、画像形成装置１００の制御プログラムが記憶される。この制御プログラムは、操作検出プログラム３０２ａ、画像読取プログラム３０２ｂ、駆動プログラム３０２ｃ、位置検出プログラム３０２ｄ、領域設定プログラム３０２ｅおよび画像形成プログラム３０２ｆなどを含む。
【００８７】
操作検出プログラム３０２ａは、入力装置１２ａおよびタッチパネルによるユーザの操作入力を検出するためのプログラムである。ＣＰＵ３０は、操作検出プログラム３０２ａに従って、ユーザが入力装置１２ａを操作したことによる操作データないし操作信号を検出したり、タッチパネルを操作したことにより入力されるタッチ座標データを検出したりする。
【００８８】
画像読取プログラム３０２ｂは、撮像部２８で原稿表面の画像を撮像して、撮像部２８から出力されるＲＧＢの各色の画像信号に所定の処理を施した画像データを出力するためのプログラムである。ただし、撮像部２８で原稿表面の画像を撮像する際には、駆動プログラム３０２ｃに従って走査ユニット２６が移動される。
【００８９】
駆動プログラム３０２ｃは、走査ユニット２６を移動させるモータ５０および駆動機構を駆動させ、走査ユニット２６の位置を制御するためのプログラムである。
【００９０】
位置検出プログラム３０２ｄは、エンコーダ５２からから出力されるパルス信号に基づいてモータ５０の回転数（回転角度）を検出（算出）し、検出したモータ５０の回転数に応じて、走査ユニット２６の副走査方向における位置を算出するためのプログラムである。また、位置検出プログラム３０２ｄは、走査ユニット２６の副走査方向における位置を、透過型ディスプレイ２４ａの座標で表現された走査ユニット２６の位置に変換するためのプログラムでもある。
【００９１】
領域設定プログラム３０２ｅは、読取ジョブが行われる場合に、位置検出プログラム３０２ｄで検出された走査ユニット２６の位置に応じて、透過型ディスプレイ２４ａにおける走査ユニット２６に対応する領域に透過領域２４２０を設定するためのプログラムである。また、領域設定プログラム３０２ｅは、透過型ディスプレイ２４ａにおける走査ユニット２６の位置に対応する領域以外の領域に非透過領域２４２２を設定するためのプログラムでもある。さらに、領域設定プログラム３０２ｅは、読取ジョブが行われない場合には、原稿載置台２４の全ての領域を非透過領域２４２２に設定するためのプログラムでもある。
【００９２】
画像形成プログラム３０２ｆは、画像形成部３６を制御して、原稿から読み取った画像などを記録紙に印刷するためのプログラムである。
【００９３】
図示は省略するが、プログラム記憶領域３０２には、プリンタ機能やファクシミリ機能を実行するためのプログラム、スキャンした画像などをディスプレイ１２ｂまたは透過型ディスプレイ２４ａに表示（プレビュー）するための表示プログラム、シェーディング補正を実行するためのプログラム、用紙詰まりを検出するための検出プログラムなども記憶される。
【００９４】
また、データ記憶領域３０４には、操作入力データバッファ３０４ａおよび画像データバッファ３０４ｂが設けられるとともに、走査ユニット位置データ３０４ｃ、透過領域データ３０４ｄおよび画像生成データ３０４ｅなどが記憶される。
【００９５】
操作入力データバッファ３０４ａは、操作検出プログラム３０２ａに従って検出された操作データまたは／およびタッチ座標データを含む操作入力データを時系列に従って記憶するための領域である。
【００９６】
画像データバッファ３０４ｂは、原稿から読み取った画像に対応する画像データ、コンピュータまたはファクシミリから受信した画像データ、および内蔵されたＨＤＤ５４または外部記憶媒体の一例であるＳＤカードから読み出した画像データを記憶するための領域である。
【００９７】
走査ユニット位置データ３０４ｃは、位置検出プログラム３０２ｄに従って検出された走査ユニット２６の位置についてのデータである。ただし、走査ユニット位置データ３０４ｃは、走査ユニット２６の位置に対応する透過型ディスプレイ２４ａの副走査方向の座標データとして記憶される。
【００９８】
透過領域データ３０４ｄは、領域設定プログラム３０２ｅによって設定される透過領域２４２０の大きさを規定するためのデータである。具体的には、透過領域データ３０４ｄは、走査ユニット２６の大きさに合わせて設定された、透過型ディスプレイ２４ａ上の透過領域２４２０の大きさを規定する座標データである。
【００９９】
画像生成データ３０４ｅは、ディスプレイ１２ｂに表示する、画像形成装置１００のステータス、ソフトウェアボタンまたは／および各種のメッセージ等を含む各種の画像に対応する表示画像データを生成するためのポリゴンデータおよびテクスチャデータなどのデータである。
【０１００】
図示は省略するが、データ記憶領域３０４には、画像形成装置１００の制御プログラムの実行に必要な他のデータが記憶されたり、フラグまたは／およびカウンタ（タイマ）が設けられたりする。
【０１０１】
図８は、図１に示す画像形成装置１００（画像読取装置１０）の読取処理を示すフロー図である。この読取処理は、画像形成装置１００で読取ジョブが設定された場合に実行される。ただし、ＣＰＵ３０は、図８に示す読取処理と並行して、印刷ジョブに従う印刷処理なども実行する。読取処理が実行される前は、原稿載置台２４（透過型ディスプレイ２４ａ）の全ての領域が非透過領域２４２２に設定される。
【０１０２】
図８に示すように、ＣＰＵ３０は、読取処理を開始すると、画像形成装置１００（画像読取装置１０）の各部位の動作を制御して、ステップＳ１で、走査ユニット２６がホーム位置ＨＰに位置するかどうかを判断する。
【０１０３】
ステップＳ１で“ＮＯ”であれば、つまり、走査ユニット２６がホーム位置ＨＰに位置しないと判断した場合は、ステップＳ３で、走査ユニット２６をホーム位置ＨＰに移動させて、ステップＳ１に戻る。一方、ステップＳ１で“ＹＥＳ”であれば、つまり、走査ユニット２６がホーム位置ＨＰに位置すると判断した場合は、ステップＳ５で、走査ユニット２６に対応する位置に透過領域２４２０を設定し、ステップＳ７で、走査ユニット２６の光源２６２を点灯する。
【０１０４】
続いて、ステップＳ９で、走査ユニット２６をエンド位置ＥＰに向かって移動させ、ステップＳ１１で、走査ユニット２６の位置を検出し、ステップＳ１３で、ステップＳ１１で検出した走査ユニット２６の位置に応じて、透過領域２４２０の位置を移動させる。
【０１０５】
続いて、ステップＳ１５で、走査ユニット２６がエンド位置ＥＰに位置するかどうかを判断する。ステップＳ１５で“ＮＯ”であれば、つまり、走査ユニット２６がエンド位置ＥＰに位置しないと判断した場合は、ステップＳ９に戻る。一方、ステップＳ１５で“ＹＥＳ”であれば、つまり、走査ユニット２６がエンド位置ＥＰに位置すると判断した場合は、ステップＳ１７で、原稿載置台２４（透過型ディスプレイ２４ａ）の全ての領域に非透過領域２４２２を設定する。
【０１０６】
続くステップＳ１９で、走査ユニット２６をホーム位置ＨＰに移動させ、ステップＳ２１で、走査ユニット２６の光源２６２を消灯して、読取処理を終了する。
【０１０７】
この第１実施例によれば、原稿載置台２４において走査ユニット２６に対応する領域では光が透過され、原稿載置台２４において走査ユニット２６に対応しない領域では光が遮断されるようにした。このようにすれば、読取ジョブが行われる場合に、画像読取装置１０から外部に漏れる光を低減させることができるので、原稿載置台２４が露出した状態でも、画像読取装置１０を使用するユーザが眩しく感じないようにすることができる。
【０１０８】
また、第１実施例によれば、画像読取装置１０の内部に入射される外乱光を低減させることができるので、読取ジョブが行われる場合の外乱光の影響を低減させ、原稿を適切に読み取ることができる。
【０１０９】
さらに、第１実施例によれば、原稿の読み取りが行われない場合には、原稿載置台２４の全ての領域が非透過領域２４２２に設定される。このため、原稿の読み取りが行われない場合には、画像読取装置１０から外部に光が漏れないので、画像読取装置１０を使用するユーザが眩しく感じないようにすることができる。
【０１１０】
なお、第１実施例では、撮像部２８が走査ユニット２６に含まれるキャリッジ一体式の走査ユニット２６を例に挙げて説明したが、これに代えて、ミラー移動式の走査ユニット２６を採用することもできる。この場合、撮像部２８は、走査ユニット２６とは別に、筐体２０に取り付けられる。また、走査ユニット２６は、光源２６２およびミラー２６４を含む光源ユニット（光照射部に相当）と、ミラー２６６およびミラー２６８を含むミラーユニットとに分割される。この場合、光源ユニットおよびミラーユニットは、モータ５０によって所定の速度で副走査方向に移動される。ただし、光源ユニットおよびミラーユニットは、光源２６２の光軸と原稿の表面の交点から結像レンズまでの反射光の光路の距離が変化しないように移動される。具体的には、光源ユニットおよびミラーユニットが同じ方向に移動される場合には、ミラーユニットは、光源ユニットの移動速度の１／２の移動速度で、副走査方向に移動される。
【０１１１】
また、カラー画像を表示させることができる透過型ディスプレイ２４ａを用いることもできる。この場合、透過型ディスプレイ２４ａは、上述した構成に加えて、透明導光板および複数の光源をさらに含む。透明導光板は、液晶パネルに重ねて配置される。この透明導光板には、光源からの光を前面（上面）側に拡散させる拡散領域と、光源からの光を拡散させない非拡散領域とが設定される。複数の光源のそれぞれは、透明導光板の左右の側縁部に並んで配置されるように筐体２０に取り付けられる。つまり、液晶パネルは、エッジ型バックライト方式の液晶パネルである。このような構成の透過型ディスプレイ２４ａであれば、たとえばフィードシーケンシャル方式を用いて、カラー表示を行うことができる。フィードシーケンシャル方式では、ディスプレイが１画面分の映像を表示させる時間が３つに分割されて各色に割り当てられ、光源における３色の光が１画面分の映像を表示させる時間の間に順に発光される。この方式は、光源における３色の光の発光に同期して、液晶シャッタの開閉が制御されることによって画素毎に着色される色を切り替えることでカラー表示を行う方式である。ただし、透過型ディスプレイ２４ａにカラー画像が表示される（透過型ディスプレイ２４ａに含まれる光源がオンされる）のは、原稿の読み取りが行われない場合に限られる。
【０１１２】
さらに、原稿載置台２４に、タッチパネルが設けられても良い。この場合、タッチパネルは、透過型ディスプレイ２４ａ上に設けられたり、透過型ディスプレイ２４ａと一体的に設けられたりする。
［第２実施例］
第２実施例の画像形成装置１００は、透過領域２４２０が、主走査方向において原稿が存在する領域に設定されるようにした以外は、第１実施例の画像形成装置１００と同じであるため、第１実施例と異なる内容について説明し、重複した説明については省略することにする。
【０１１３】
第２実施例では、原稿載置台２４（透過型ディスプレイ２４ａ）の一部に、透過可能領域２４２ａが設定される。また、原稿載置台２４における透過可能領域２４２ａ以外の領域には、透過禁止領域２４２ｂが設定される。透過可能領域２４２ａは、透過領域２４２０が設定可能な領域である。また、透過禁止領域２４２ｂは、透過領域２４２０が設定できない領域である。
【０１１４】
透過可能領域２４２ａは、主走査方向において光源２６２によって照射された光が原稿で反射される領域（開口２６０ｂに反射光が入射される領域）に設定される。光源２６２によって照射された光が原稿で反射される領域は、原稿が存在する領域に相当する。このため、透過可能領域２４２ａは、原稿が存在する領域に設定される。
【０１１５】
また、透過禁止領域２４２ｂは、主走査方向において光源２６２によって照射された光が反射されない領域（開口２６０ｂに反射光が入射されない領域）に設定される。光源２６２によって照射された光が反射されない領域は、原稿が存在しない領域に相当する。このため、非透過領域２４２２は、原稿が存在しない領域に設定される。
【０１１６】
第２実施例では、透過領域２４２０は、走査ユニット２６に対応する領域と透過可能領域２４２ａとが重なる領域に設定される。一方、走査ユニット２６に対応する領域であっても、透過可能領域２４２ａと重ならない（透過禁止領域２４２ｂと重なる）領域には、非透過領域２４２２が設定される。
【０１１７】
図９は、第２実施例における原稿載置台２４を上面側から見た図である。読取ジョブが開始されると、第１実施例で説明したように、走査ユニット２６がホーム位置ＨＰに位置する場合に、走査ユニット２６に対応する領域が透過領域２４２０に設定される。このとき、透過可能領域２４２ａおよび透過禁止領域２４２ｂは設定されていない。このため、透過領域２４２０の主走査方向の幅は、原稿載置台２４における主走査方向の幅の全域に設定されるので、光源２６２から照射された光は、主走査方向の幅の全域において原稿載置台２４を通過する。
【０１１８】
図９に示すように、主走査方向において原稿が存在する領域は、原稿載置台２４の一部の領域（たとえば原稿載置台２４の背面側）である。原稿が存在する領域においては、光源２６２から照射された光は、原稿の表面で反射する。原稿の表面で反射した反射光は、開口２６０ｂを通過し、ミラー２６４、ミラー２６６およびミラー２６８によって撮像部２８に導かれる。撮像部２８で反射光が受光された領域に応じて、主走査方向において原稿が存在する領域が検出され、透過可能領域２４２ａが設定される。
【０１１９】
一方、原稿が存在しない領域（図９に示す原稿載置台２４の前面側）においては、光源２６２から照射された光は反射されないので、撮像部２８に導かれない。このように、光源２６２によって照射された光が反射されない領域においては、撮像部２８で反射光が受光されない。撮像部２８で反射光が受光された領域に応じて、主走査方向において原稿が存在しない領域が検出され、透過禁止領域２４２ｂが設定される。
【０１２０】
ただし、透過可能領域２４２ａは、実際に撮像部２８で反射光が受光可能な領域よりも少し広い領域（たとえば３ｍｍ〜５ｍｍ広い領域）に設定される。このようにすれば、透過可能領域２４２ａが設定される際に多少の誤差があった場合でも、光源２６２から照射される光および原稿の表面で反射した反射光が非透過領域２４２２によって遮断されることが無い。したがって、確実に原稿の画像を読み取ることができる。
【０１２１】
また、走査ユニット２６は、透過可能領域２４２ａが設定された後に、ホーム位置ＨＰからエンド位置ＥＰに向かって移動される。走査ユニット２６がホーム位置ＨＰから移動されるときには、主走査方向において原稿が存在しない領域は、透過禁止領域２４２ｂに設定されているので、走査ユニット２６の位置に関わらず、非透過領域２４２２に設定される。
【０１２２】
また、図９からわかるように、原稿の副走査方向の後端部（エンド位置ＥＰ側の端部）よりもエンド位置ＥＰ側の領域には、原稿が存在しない。したがって、走査ユニット２６が原稿の副走査方向の後端部よりもエンド位置ＥＰ側に移動すると、光源２６２から照射された光は原稿に反射されない。この場合、原稿載置台２４の主走査方向の全域において、透過可能領域２４２ａが設定されなくなる。このため、走査ユニット２６が原稿の副走査方向の後端部よりもエンド位置ＥＰ側に移動すると、原稿載置台２４の全域に透過禁止領域２４２ｂが設定される。したがって、原稿載置台２４の全域に非透過領域２４２２が設定される。
【０１２３】
以下、フロー図を用いて、第２実施例における画像形成装置１００の読取処理について説明するが、第１実施例で説明した読取処理と同じ処理については同じ参照符号を付し、重複した内容については、説明を省略するまたは簡単に説明することにする。
【０１２４】
図１０は、第２実施例における画像形成装置１００の読取処理の一例を示すフロー図である。図１０に示すように、ＣＰＵ３０は、ステップＳ７で光源２６２を点灯すると、ステップＳ３１で主走査方向において撮像部２８で反射光が受光可能な領域を検出し、ステップＳ３３で、撮像部２８で反射光が受光可能な領域に透過可能領域２４２ａを設定して、ステップＳ９に進む。
【０１２５】
また、ステップＳ１５で“ＮＯ”であれば、つまり、走査ユニット２６がエンド位置ＥＰに位置しないと判断した場合は、ステップＳ３１に戻る。一方、ステップＳ１５で“ＹＥＳ”であれば、ステップＳ１７に進む。
【０１２６】
なお、ステップＳ７までの処理、ステップＳ９からステップＳ１３までの処理およびステップＳ１７以降の処理の内容については、第１実施例と同じであるので説明を省略する。
【０１２７】
この第２実施例によれば、主走査方向において撮像部２８で反射光が受光可能な領域に透過可能領域２４２ａが設定されるので、主走査方向において原稿が存在しない領域には透過領域２４２０が設定されなくなる。このため、読取ジョブが行われる場合に、原稿に反射せずに画像読取装置１０から外部に漏れる光を低減させることができ、画像読取装置１０を使用するユーザが眩しく感じないようにすることができる。
【０１２８】
なお、第２実施例では、光源２６２によって照射された光が原稿で反射される領域に透過領域２４２０が設定されるようにしたが、これに代えて、またはこれに加えて、光源２６２に含まれる複数のＬＥＤのうち、主走査方向において光源２６２によって照射された光が原稿で反射される領域に含まれるＬＥＤを点灯させるようにしても良い。この場合、光源２６２に含まれる複数のＬＥＤのうち、主走査方向において光源２６２によって照射された光が反射されない領域に含まれるＬＥＤを消灯させる。
【０１２９】
また、原稿載置台２４の主走査方向の全域において、走査ユニット２６の光源２６２によって照射された光が反射されなくなり、透過可能領域２４２ａが設定されない場合には、走査ユニット２６がエンド位置ＥＰに到達していなくても、読取ジョブを終了するようにしても良い。このようにすれば、走査ユニット２６が原稿の副走査方向の後端部よりもエンド位置ＥＰ側に移動したときに、読取ジョブが終了される。したがって、原稿が存在しない領域の画像信号が生成されなくなるので、画像信号処理回路４２に不要な領域の画像信号が入力されることがなくなり、画像信号処理回路４２における演算量が少なくて済み、画像読取装置１０の消費電力が低減される。
［第３実施例］
第３実施例の画像形成装置１００は、透過領域２４２０が、副走査方向において原稿が存在する領域に設定されるようにした以外は、第１実施例または第２実施例の画像形成装置１００と同じであるため、第１実施例または第２実施例と異なる内容について説明し、重複した説明については省略することにする。
【０１３０】
図１１は、第３実施例における原稿載置台２４を上面側から見た図である。図１１に示すように、第３実施例では、原稿が存在する領域が設定され、原稿が存在する領域が、透過可能領域２４２ａに設定される。また、原稿が存在する領域以外の領域（透過禁止領域２４２ｂ）には、非透過領域２４２２が設定される。ただし、透過可能領域２４２ａは、原稿が存在する領域よりも主走査方向および副走査方向において少し広い領域（たとえば３ｍｍ〜５ｍｍ）に設定される。このようにすれば、透過可能領域２４２ａが設定される際に多少の誤差があった場合でも、光源２６２から照射される光および原稿の表面で反射した反射光が非透過領域２４２２によって遮断されることが無い。したがって、確実に原稿の画像を読み取ることができる。
【０１３１】
たとえば、原稿が存在する領域は、ユーザの指示によって設定される。ユーザが入力装置１２ａを操作して、原稿のサイズを入力する場合、入力された原稿のサイズに応じて、原稿が存在する領域が設定される。ただし、原稿が存在する領域は、入力装置１２ａが配置される側を前面側とした場合の原稿載置台２４の左上の角を基準位置とし、この基準位置に原稿の左上の角を合わせるように載置されると仮定して設定される。この場合、読取ジョブが開始される場合に、光源２６２が点灯される前に、原稿が存在する領域に透過領域２４２０が設定される。
【０１３２】
また、原稿の読み取り（スキャン）が行われる前に、原稿サイズの検出が行われる場合には、原稿サイズの検出において検出された原稿のサイズに応じて、透過可能領域２４２ａが設定される。この場合、原稿サイズの検出が行われるときには透過領域２４２０が設定されていないが、原稿の読み取りが開始されるときには、原稿が存在する領域に透過領域２４２０が設定される。
【０１３３】
さらに、原稿の読み取りを行う場合に、対象となる原稿が複数存在する場合であって、複数の原稿のサイズが同じである場合がある。この場合、一枚目の原稿の読み取りを行う場合に、その原稿のサイズが検出され、検出された原稿のサイズに応じて、原稿が存在する領域が設定される。そして、原稿が存在する領域に、透過可能領域２４２ａが設定される。この場合、二枚目の原稿の読み取りが開始されるときから、原稿が存在する領域に透過領域２４２０が設定される。
【０１３４】
この第３実施例によれば、原稿が存在する領域に透過領域２４２０が設定されるので、原稿が存在しない領域には透過領域２４２０が設定されなくなる。このため、原稿に反射せずに画像読取装置１０から外部に漏れる光を低減させることができ、画像読取装置１０を使用するユーザが眩しく感じないようにすることができる。
［第４実施例］
第４実施例の画像形成装置１００は、シェーディング補正を行う場合に、原稿載置台２４（透過型ディスプレイ２４ａ）の全ての領域が非透過領域に設定されるようにした以外は、第１実施例の画像形成装置１００と同じであるため、第１実施例と異なる内容について説明し、重複した説明については省略することにする。
【０１３５】
上述したシェーディング補正に用いられる補正値を設定する処理が行われる際に、画像読取装置１０内に外乱光が入射されると、撮像部２８の一部の受光素子の出力が大きくなってしまう。したがって、白補正用データの補正値を取得する場合および黒補正用データの補正値を取得する場合に、画像読取装置１０内に外乱光が入射されると、外乱光の影響で撮像部２８のラインセンサの出力に異常が発生することがある。
【０１３６】
そこで、第４実施例では、シェーディング補正を行う場合に、原稿載置台２４（透過型ディスプレイ２４ａ）の全ての領域が非透過領域２４２２に設定される。
【０１３７】
この第４実施例によれば、シェーディング補正を行う場合に、原稿載置台２４の全ての領域が非透過領域２４２２に設定される。このため、シェーディング補正において外乱光の影響を低減させ、シェーディング補正を適切に行うことができるので、原稿を適切に読み取ることができる。
【０１３８】
なお、第４実施例に示した態様は、第２実施例または第３実施例にも組み合わせて採用することが可能である。
【０１３９】
また、上述の実施例で挙げた具体的な数値、画面構成等は一例であり、実際の製品に応じて適宜変更することが可能である。
【０１４０】
さらに、上述の実施例で示したフロー図の各ステップは、同じ結果が得られるのであれば、処理される順番は適宜変更することが可能である。
【符号の説明】
【０１４１】
１００…画像形成装置
１０  …画像読取装置
２２  …画像読取部
２４  …原稿載置台
２４ａ…透過型ディスプレイ
２６  …走査ユニット
２８  …撮像部
３０  …ＣＰＵ
【図１】
2018160713.tif 000003
【図２】
2018160713.tif 000004
【図３】
2018160713.tif 000005
【図４】
2018160713.tif 000006
【図５】
2018160713.tif 000007
【図６】
2018160713.tif 000008
【図７】
2018160713.tif 000009
【図８】
2018160713.tif 000010
【図９】
2018160713.tif 000011
【図１０】
2018160713.tif 000012
【図１１】
2018160713.tif 000013